(57)【特許請求の範囲】
【請求項１】
熱交換のため水を必要とするエネルギー施設で用いる熱交換用の海水を、取水または放水する取放水設備の取放水管であって、
該取放水管の少なくとも１本に、海底の下に設けられ、かつガスを搬送するガスパイプラインが内部に敷設された海底トンネルを用い、
該海底トンネルから、海底に通じる取放水口が形成されていることを特徴とする取放水設備の取放水管。
【発明の詳細な説明】
【０００１】
【発明の属する技術分野】
本発明は、取放水設備の取放水管に関する。
【０００２】
【従来の技術】
火力発電所や液化天然ガス（ＬＮＧ）受入基地などのエネルギー施設では、熱交換のために大量の水が必要とされる。例えば、火力発電所では電力を取り出す熱交換サイクル中の冷却水として、ＬＮＧ受入基地では、冷却して液化貯蔵されたＬＮＧを送出するにあたり、ＬＮＧを気化させる温熱媒体として、水が用いられる。
従来、このようなエネルギー施設は、海岸沿いに設けられ、その近くの海底から海水を取水管によって取水し、熱交換後に温水あるいは冷水となった排水を、放水管から海に放水している。
図３は、従来のエネルギー施設２０の概略構成を示す説明図である。エネルギー施設２０は海３の沿岸の陸地に設けられ、汲み上げポンプや放水口を備えた取放水設備２１を備える。符号２２、２３はそれぞれ取水管および放水管である。一方、エネルギー施設２０には、海底トンネル２４内に敷設されたガスパイプライン２が設けられることがある。例えば、火力発電所では、環境問題に配慮して石油などに比べてクリーンなメタンガスなどの可燃ガスを発電用燃料として用いる場合が増えてきており、その場合には燃料ガスの供給を受けるためにガスパイプライン２を備える。また、ＬＮＧ受入基地でも、ＬＮＧを送出するためにガスパイプライン２が必要となるが、立地上から海底トンネル２４を設けて搬送する場合がある。
【０００３】
【発明が解決しようとする課題】
しかしながら、このような取放水は、環境に悪影響を与えないように行う必要があり、取放水の位置や水量などは、周囲の環境を調査の上、慎重に決定される。その調査結果によっては、かなり沖合に取放水管を設置することが要求される場合がある。そのため、取放水管の設置に莫大な費用がかかり、結果としてエネルギー施設の建設費を押し上げることになるという問題があった。
【０００４】
本発明は、このような問題に鑑みてなされたものであって、エネルギー施設などの取放水設備に用いる取放水管の建設コストを低減できる取放水設備の取放水管を提案することを目的とする。
【０００５】
【課題を解決するための手段】
上記の課題を解決するために、請求項１に記載の発明では、熱交換のため水を必要とするエネルギー施設で用いる熱交換用の海水を、取水または放水する取放水設備の取放水管であって、該取放水管の少なくとも１本に、海底の下に設けられ、かつガスを搬送するガスパイプラインが内部に敷設された海底トンネルを用い、該海底トンネルから、海底に通じる取放水口が形成されている構成を用いる。
そのため、海底トンネルがガスパイプラインの敷設用トンネルと取放水管の少なくとも１本を兼ねることができる。
また、海底トンネル上の任意位置の海底に取放水口を設置できる。
なお、例えば、縦坑によって取放水口を設ける場合には、海底側からの施工が容易となり、建設費を低減することができる。
【０００８】
【発明の実施の形態】
以下では、本発明の実施の形態を、添付図面を参照して説明する。なおすべての図面を通して、同一または相当する部材は、同一の符号を付している。
まず、本発明に係る取放水設備の取放水管の構成を説明する。
図１は、本発明に係る取放水設備の取放水管が設けられたエネルギー施設２０の概略構成を示す平面視の説明図である。図２（ａ）は、本発明に係る取放水設備の取放水管の長手方向断面の概略を示す説明図である。図２（ｂ）は、図２（ａ）におけるＡ−Ａ断面図である。
【０００９】
海岸沿いに設けられたエネルギー施設２０は、例えば火力発電所やＬＮＧ受入基地などの、熱交換のために大量の水を必要とする施設である。取放水設備２１は、海３から海水を取水し、熱交換後の海水を海３に戻すための適宜のポンプや水路施設などを備えた設備である。
【００１０】
取放水設備２１には、海底トンネル１と接続する導水管１ｂと、海３の中に取放水口５ａを配置して海水を取水または放水することが可能な取放水管５とが接続されている。取放水管５は、従来用いられているどのような構成でもよく、例えば金属管材やコンクリート構造を採用できる。
【００１１】
海底トンネル１は、例えばシールドトンネルや沈埋トンネルなどの工法で海底４の下に設けられたもので（図２（ａ））、その上部のいずれかの位置に、縦坑と海底４の上に露出する開口を備える取放水口１ａを少なくとも１つ備えている。トンネル内部１ｃにはガスを搬送するためのガスパイプライン２が敷設されている。
【００１２】
したがって海底トンネル１は、取放水口１ａ、トンネル内部１ｃ、導水管１ｂを通じて、海３と取放水設備２１とを接続する管路を形成しており、取放水口１ａから取水または放水が可能な取放水管ともなっている。
【００１３】
次に、このような取放水管を兼ねる海底トンネル１を構成する方法を説明する。
まず、シールドトンネル工法や沈埋トンネル工法などによって、ガスパイプライン２を敷設するための海底トンネル１を掘削する。海底トンネル１の端部にはそれぞれ地上と連絡するための適宜の管路を設けるが、エネルギー施設２０側には、ガスパイプライン２を内部に通して地上では分岐するように配管するとともに、取放水設備２１へ海水を通水可能とする管路として導水管１ｂを施工する。
【００１４】
次に海底トンネル１内にガスパイプライン２を敷設する。
そして、海底トンネル１の上部から海底４の上側に通じる縦坑を掘削し、取放水口１ａを設け、海底トンネル１内に通水する。この工程は、海底トンネル１の内部から行っても、外部から海底を掘削して行ってもよい。
【００１５】
なお、沈埋トンネルでは、あらかじめ沈埋ユニットに取放水口１ａを形成しておき、海底トンネル１が開通した後、取放水口１ａを開口するようにしてもよく、その場合、取放水口１ａを施工する工程は省略される。
【００１６】
次に本発明の作用を説明する。
海底トンネル１は、その構成により海水の取放水が可能なので、取水管または放水管として利用することができる。例えば、図１では、取放水口１ａから矢印のように海水を取水し、取放水管５によって熱交換後の排水を取放水口５ａを通じて矢印のように放水する様子を示している。しかし、それぞれの取放水の機能が、それぞれ逆になるように構成してもよいことは言うまでもない。
【００１７】
したがって、海底トンネル１によって、取放水設備２１の取放水管の少なくとも１本が兼用できる。その結果、全体として取放水管の建設費を低減できる。
【００１８】
取放水口１ａは海底トンネル１上のどの位置でも形成できるから、ガスパイプライン２の経路上の範囲で取放水の位置を自由に選定できる利点がある。
また、取放水口１ａは海底トンネル１の上部から縦坑により設けるので、海底側から施工することが可能となる利点がある。
さらに、例えば開閉手段を備えた取放水口１ａを複数設けておけば、後から取放水の位置を変更することもできる。
【００１９】
また、海底トンネル１を温排水または冷排水の放水管として用いる場合、放水管を海水中に設置する場合と異なり、温（冷）排水の熱が放水途中で海水に授受されることがないから、放水場所以外の海中で水温に影響を及ぼすという環境問題を起こす恐れがないという利点がある。
【００２０】
【発明の効果】
以上に述べたように、請求項１に記載の発明では、海底トンネルがガスパイプラインの敷設用トンネルと取放水管の少なくとも１本を兼ねることができるので、取放水管の建設コストを低減することができるという効果を奏する。
また、海底トンネル上の任意位置の海底に取放水口を設置できて環境を配慮した取放水口の計画がしやすいという効果を奏する。
【図面の簡単な説明】
【図１】  本発明に係る取放水設備の取放水管が設けられたエネルギー施設２０の概略構成を示す平面視の説明図である。
【図２】  本発明に係る取放水設備の取放水管の断面の概略を示す説明図である。
【図３】  従来のエネルギー施設の概略構成を示す説明図である。
【符号の説明】
１  海底トンネル
１ａ  取放水口
１ｂ  導水管
２  ガスパイプライン
４  海底
５  取放水管
５ａ  取放水口
２０  エネルギー施設
２１  取放水設備
【図１】
0003918605.tif 000002
【図２】
0003918605.tif 000003
【図３】
0003918605.tif 000004